(57)【特許請求の範囲】
【請求項１】
対向して立設された一対の側板と、
前記一対の側板の間に水平に架け渡されたスルーピンと、
高さ方向に蛇行する商品通路を形成するために前記側板の間であって奥行き方向の前後に対向して配設された複数のセグメントと、
上下方向に延在した長穴を有し、この長穴に前記スルーピンを挿通させることにより上下方向に移動可能、かつ前記セグメントの幅方向に移動可能となる態様で前記側板と平行に配置され、前記セグメントの幅方向に販売商品の寸法に応じて複数設けた係止穴のうちの一部の係止穴に係合させることによって前記商品通路を区画する通路幅調整板と、
投入する商品を転動可能に案内する傾斜したトップトレイと、当該トップトレイ上に幅方向に移動自在に垂設され、当該トップトレイ上を両側面で区画して複数の商品通路を形成するとともに、端部を前記通路幅調整板と連結し、かつ、当該通路幅調整板を上下方向および幅方向に移動可能に形成したトップガイドとを有する商品案内装置と、
を備えた自動販売機の商品収納棚。
【請求項２】
トップトレイは販売商品の寸法に応じた複数の係合穴を幅方向に備え、
トップガイドは前記係合穴と係合する係合爪を底部に備えるとともに、通路幅調整板を係止する受け部を端部に備えたことを特徴とする請求項１に記載の自動販売機の商品収納棚。
【発明の詳細な説明】
【０００１】
【発明の属する技術分野】
この発明は、自動販売機の商品収納棚に関し、さらに詳しくは、缶飲料やペットボトル飲料の商品を商品収納庫内に横倒し姿勢で上下方向に積み重ねて収納するサーペンタイン式商品ラックを備えた自動販売機において、その商品通路幅を調節でき、１つのラックで複数種類のサイズの商品を収納できる商品収納棚に関する。
【０００２】
【従来の技術】
サーペンタイン式商品ラックの商品通路に商品を案内する装置を備えた自動販売機の商品収納棚としては、たとえば、特公平１−４２０３７号公報に開示されている。この商品案内装置は、投入する商品を転動可能に案内する傾斜した案内受板と、この案内受板上にて幅方向にスライド移動自在に設けられ、前記投入口の幅を規制する規制部材と、この規制部材の後部に連結され商品通路内に延在して商品通路幅を規制する案内側板とを備えている。
【０００３】
【発明が解決しようとする課題】
しかしながら、上記従来の商品案内装置の規制部材は、その一方側の面のみで投入口の幅を規制するものであるから、他方側の面には、前記一方側の面に凹凸部をなくすとともに、怪我を防止するための折り返し部等による凹凸部が形成されている。したがって、多種多様な寸法の商品を効率良く収納するために、当該規制部材の他方側の面を商品通路として利用しようとすると、この凹凸部に商品が引っかかり、商品の投入姿勢を乱して通路内で商品詰まりが起こってしまうという課題があった。
【０００４】
また、薄い通路幅調整板によって商品通路幅を容易に調節でき、簡易かつ薄型構造の自動販売機の商品収納棚の提供が望まれていた。
【０００５】
この発明は、上記に鑑みてなされたものであって、商品投入口をなすトップトレイ上に配置されたトップガイドの両側に商品通路を形成できるとともに、商品収納棚内に配設された通路幅調整板の位置を容易に設定変更できる商品案内装置を備えた自動販売機の商品収納棚を提供することを目的とする。
【０００６】
【課題を解決するための手段】
上述の目的を達成するために、この発明の請求項１にかかる自動販売機の商品収納棚は、対向して立設された一対の側板と、前記一対の側板の間に水平に架け渡されたスルーピンと、高さ方向に蛇行する商品通路を形成するために前記側板の間であって奥行き方向の前後に対向して配設された複数のセグメントと、上下方向に延在した長穴を有し、この長穴に前記スルーピンを挿通させることにより上下方向に移動可能、かつ前記セグメントの幅方向に移動可能となる態様で前記側板と平行に配置され、前記セグメントの幅方向に販売商品の寸法に応じて複数設けた係止穴のうちの一部の係止穴に係合させることによって前記商品通路を区画する通路幅調整板と、投入する商品を転動可能に案内する傾斜したトップトレイと、当該トップトレイ上に幅方向に移動自在に垂設され、当該トップトレイ上を両側面で区画して複数の商品通路を形成するとともに、端部を前記通路幅調整板と連結し、かつ、当該通路幅調整板を上下方向および幅方向に移動可能に形成したトップガイドとを有する商品案内装置とを備えたものである。
【０００７】
通路幅調整板と連結したトップガイドの端部を持ち上げることによって当該通路幅調整板を持ち上げ、設定すべき通路幅に対応するセグメントの係合穴に位置するように水平方向にスライドさせてから、トップガイドの端部を離せば、当該通路幅調整板が係合穴に差し込まれ、通路幅の設定が容易に完了する。
【０００８】
このように、トップトレイ上およびセグメント間の通路幅を設定することによって多様化した商品を容易に収納・販売できるとともに、トップガイドの両側から商品を投入することによって通路幅調整板の両側に商品を収納できるので、収納効率をアップすることができる。
【０００９】
また、この発明の請求項２にかかる自動販売機の商品収納棚は、トップトレイは販売商品の寸法に応じた複数の係合穴を幅方向に備え、トップガイドは前記係合穴と係合する係合爪を底部に備えるとともに、通路幅調整板を係止する受け部を端部に備えたものである。これにより、簡易な構造によってトップガイドをトップトレイ上に位置決めでき、通路幅調整板を連結できる。
【００１０】
【発明の実施の形態】
以下、この発明にかかる自動販売機の商品収納棚の実施の形態につき図面を参照しつつ詳細に説明する。なお、この実施の形態によりこの発明が限定されるものではない。
【００１１】
図１は、この発明の実施の形態にかかる商品案内装置を示す正面斜視図、図２は、商品案内装置を示す背面斜視図、図３は、トップガイドを示す側面図、図４は、トップガイドを示す平面図、図５は、トップガイドを示す背面図である。
【００１２】
また、図６および図７は、商品案内装置によって通路幅調整板を持ち上げる過程を示す説明図、図８および図９は、径の異なる商品を投入するために配設位置を変更した商品案内装置によって通路幅調整板を持ち上げる過程を示す説明図である。
【００１３】
また、図１０は、自動販売機の商品収納棚を示す斜視図、図１１は、前方のセグメントを取り外した状態の自動販売機の商品収納棚を示す斜視図、図１２は、通路幅調整板を示す斜視図、図１３は、通路幅調整板を取り付けた状態を示す要部斜視図である。
【００１４】
図１〜図５に示す商品案内装置７は、自動販売機の奥に配置された商品収納棚における通路幅調整板４（図６等を参照）の配設位置を設定操作するとともに、商品の収納時に当該商品を案内するためのものである。なお、商品通路内に商品を最大数収納したときに、さらにいくつかの商品を収容するための収容棚として機能させることもできる。
【００１５】
この商品案内装置７は、奥行き方向に向かって下方に傾斜するように側板１に設置されるトップトレイ８と、このトップトレイ８の幅を後述する商品収納棚内の通路幅と同一サイズに区画するために、当該トップトレイ８上に着脱自在に立設されたトップガイド９とを備えている。
【００１６】
トップトレイ８に設けられた係合穴８ａは、トップガイド９の係合爪９ｅを係合させるために、設定すべき通路幅に対応して複数穿設されている。トップトレイ８のカール部８ｂには、トップガイド９のカール部９ｂが回動自在にはめ込まれている。
【００１７】
すなわち、トップガイド９をこのカール部９ｂを回動中心としてトップトレイ８に対して回動させることにより、受け部９ａを持ち上げ、これと係止部４ｄで係合した通路幅調整板４を持ち上げることができるようになっている。また、通路幅調整板４を持ち上げた状態で、トップガイド９を左右いずれかにスライドさせた後、係合爪９ｅを係合穴８ａに係合させることで、通路幅調整板４の位置を設定することができるようになっている。
【００１８】
また、トップガイド９は、水平部９ｄを有したガイド板９ｃと、ガイド板９ｆとを凹部９ｇにて溶接してなり、折り返し部９ｈが商品通路側に突出しないように内方に形成されている。このようにトップガイド９の両面に凸部をなくすことで、商品の案内・収納時に怪我を防止できるとともに、商品の姿勢を乱したり、傷にしたりすることを防止できるように構成してある。係合片８ｃ，８ｄは、側板１の適宜位置に設けられたスルーピン２に係合させるためのものである。
【００１９】
つぎに、本発明を適用する商品収納棚の全体構成について説明する。図１０および図１１に示すように、左右一対の側板１は、商品通路を形成するために立設されたものであり、多数のスルーピン２が水平に架け渡されている。また、このスルーピン２には、蛇行した商品通路を形成するために湾曲状に形成された複数のセグメント３が揺動自在に配設されている。
【００２０】
このセグメント３の下端部付近には、後述する通路幅調整板４の係止部４ａを差し込んで係止するための係止穴３ａが、調整すべき通路幅に対応して水平方向に複数個設けられている。この係止穴３ａは、図１３に示すように、ほぼ逆三角形状に穿設され、上方から差し込まれる通路幅調整板４の係止部４ａの位置決めが容易になるように形成してある。なお、セグメント３の上端部付近にも同一形状の係止穴が設けられているが、これはセグメント３を上下いずれの向きであっても配設できるように、上下対称形状に形成したからである。
【００２１】
つぎに、通路幅調整板４について説明する。通路幅調整板４は、商品通路を左右に２分割するために設けられたものであり、たとえば、特殊亜鉛鋼板にて形成されている。この通路幅調整板４は、図１２に示すように、上端部付近に設けられた長穴４ｂにスルーピン２が挿通されて上下方向に移動可能に形成されているとともに、カール部４ｃにスルーピン２が挿通されて水平方向にも移動可能に形成されている。
【００２２】
すなわち、通路幅調整板４は、カール部４ｃを備え補強部材としても機能する連結板５を可動側板６，６で相対移動可能に挟持し、薄く（たとえば、２ｍｍ以内の厚み）形成してある。この構造によって、カール部４ｃにスルーピン２が挿通された状態であっても、通路幅調整板４（一体となった２枚の可動側板６）が上下に移動できるようになっている。
【００２３】
なお、上述した商品収納棚の下部には、図示しない商品搬出装置や商品出口調整板等が配設されるようになっている。
【００２４】
つぎに、通路幅調整板４の位置決め動作について説明する。商品収納棚が自動販売機の前側に配置され、通路幅調整板４の上部を把持できる場合には、当該部分を把持して持ち上げ、設定すべき通路幅に対応するセグメント３の係止穴３ａに通路幅調整板４の係止部４ａが位置するように水平方向にスライドさせ、把持していた通路幅調整板４を離せば、当該各係止部４ａが係止穴３ａに順次差し込まれ、通路幅の設定が完了する。
【００２５】
一方、商品収納棚が自動販売機の奥側に配置され、通路幅調整板４の上部を把持できない場合には、上記動作を商品案内装置７のトップガイド９で行う。すなわち、図６および図７に示すように、トップガイド９をカール部９ｂを回動中心としてトップトレイ８に対して回動させることにより、受け部９ａを持ち上げ、これと係止部４ｄで係合した通路幅調整板４を持ち上げる。
【００２６】
そして、通路幅調整板４を持ち上げた状態で、トップガイド９を左右いずれかにスライドさせた後、係合爪９ｅを係合穴８ａに係合させることで、各係止部４ａが係止穴３ａに差し込まれ、通路幅の設定が完了する。なお、径の異なる商品を投入するために商品案内装置７の配設位置を変更した場合も、図８および図９に示すように、設定操作は同様である。
【００２７】
なお、上述した手順にて、通路幅調整板４で商品通路を２等分することによって、当該通路幅調整板４の両側にいわゆるハーフサイズの商品を収納できるが、通路幅調整板４を側板１に当接するように最端部に位置させることで、いわゆるロングサイズの商品を収納することもできる。
【００２８】
以上のように、この実施の形態にかかる自動販売機の商品収納棚によれば、簡易な構造によって、トップトレイ８上に配置されたトップガイド９の両側に、商品寸法に応じた幅の商品通路を形成できるとともに、商品収納棚内に配設された通路幅調整板４の位置を容易に設定変更できる。したがって、商品の収納効率をアップすることができる。
【００２９】
【発明の効果】
以上説明したように、この発明にかかる自動販売機の商品収納棚（請求項１）によれば、対向して立設された一対の側板と、前記一対の側板の間に水平に架け渡されたスルーピンと、高さ方向に蛇行する商品通路を形成するために前記側板の間であって奥行き方向の前後に対向して配設された複数のセグメントと、上下方向に延在した長穴を有し、この長穴に前記スルーピンを挿通させることにより上下方向に移動可能、かつ前記セグメントの幅方向に移動可能となる態様で前記側板と平行に配置され、前記セグメントの幅方向に販売商品の寸法に応じて複数設けた係止穴のうちの一部の係止穴に係合させることによって前記商品通路を区画する通路幅調整板と、投入する商品を転動可能に案内する傾斜したトップトレイと、当該トップトレイ上に幅方向に移動自在に垂設され、当該トップトレイ上を両側面で区画して複数の商品通路を形成するとともに、端部を前記通路幅調整板と連結し、かつ、当該通路幅調整板を上下方向および幅方向に移動可能に形成したトップガイドとを有する商品案内装置と、を備えたので、前記トップトレイ上およびセグメント間の通路幅を設定することによって多様化した商品を容易に収納・販売できるとともに、前記トップガイドの両側から商品を投入することによって前記通路幅調整板の両側に商品を収納でき、収納効率をアップすることができる。
【００３０】
また、この発明にかかる自動販売機の商品収納棚（請求項２）によれば、トップトレイは販売商品の寸法に応じた複数の係合穴を幅方向に備え、トップガイドは前記係合穴と係合する係合爪を底部に備えるとともに、通路幅調整板を係止する受け部を端部に備えたので、簡易な構造によってトップガイドをトップトレイ上に位置決めでき、通路幅調整板を連結できる。
【図面の簡単な説明】
【図１】この発明の実施の形態にかかる商品案内装置を示す正面斜視図である。
【図２】商品案内装置を示す背面斜視図である。
【図３】トップガイドを示す側面図である。
【図４】トップガイドを示す平面図である。
【図５】トップガイドを示す背面図である。
【図６】商品案内装置によって通路幅調整板を持ち上げる過程を示す説明図である。
【図７】商品案内装置によって通路幅調整板を持ち上げる過程を示す説明図である。
【図８】径の異なる商品を投入するために配設位置を変更した商品案内装置によって通路幅調整板を持ち上げる過程を示す説明図である。
【図９】径の異なる商品を投入するために配設位置を変更した商品案内装置によって通路幅調整板を持ち上げる過程を示す説明図である。
【図１０】自動販売機の商品収納棚を示す斜視図である。
【図１１】前方のセグメントを取り外した状態の自動販売機の商品収納棚を示す斜視図である。
【図１２】通路幅調整板を示す斜視図である。
【図１３】通路幅調整板を取り付けた状態を示す要部斜視図である。
【符号の説明】
１  側板
２  スルーピン
３  セグメント
３ａ  係止穴
４  通路幅調整板
４ａ、４ｄ  係止部
４ｂ  長穴
４ｃ  カール部
５  連結板
６  可動側板
７  商品案内装置
８  トップトレイ
８ａ  係合穴
８ｂ、９ｂ  カール部
８ｃ、８ｄ  係合片
９  トップガイド
９ａ  受け部
９ｃ、９ｆ  ガイド板
９ｅ  係合爪
９ｈ  折り返し部
９ｇ  凹部
【図１】
0003968952.tif 000002
【図２】
0003968952.tif 000003
【図３】
0003968952.tif 000004
【図４】
0003968952.tif 000005
【図５】
0003968952.tif 000006
【図６】
0003968952.tif 000007
【図７】
0003968952.tif 000008
【図８】
0003968952.tif 000009
【図９】
0003968952.tif 000010
【図１０】
0003968952.tif 000011
【図１１】
0003968952.tif 000012
【図１２】
0003968952.tif 000013
【図１３】
0003968952.tif 000014